(57)【要約】【課題】空気清浄機を稼働するための生活環境情報を、デジタル放送受信装置の情報収集機能を利用して外部から取得し、これらの花粉情報やインフルエンザ流行情報に基づいて空気清浄機を稼働するための駆動信号を生成する。【解決手段】デジタル放送受信装置１００は、デジタル衛星放送信号、地上デジタル放送信号から、また、インターネット網３００を介して専用サーバ４００や一般の天気予報等を提供するウェブサーバ５００、６００から、例えば、花粉情報などの生活環境情報を取得し、花粉情報の多寡に応じて空気清浄機２００の運転条件を決定し、空気清浄機２００を駆動するための駆動信号を生成している。【選択図】図１
2011004042.tif 000002
【特許請求の範囲】
【請求項１】
外部から空気清浄機稼働のための生活環境情報を取得し、該生活環境情報に基づいて前記空気清浄機を稼動させるための駆動信号を生成することを特徴とするデジタル放送受信装置。
【請求項２】
前記空気清浄機稼働のための前記生活環境情報が花粉情報であることを特徴とする請求項１に記載のデジタル放送受信装置。
【請求項３】
前記空気清浄機稼働のための前記生活環境情報がインフルエンザ流行情報であることを特徴とする請求項１に記載のデジタル放送受信装置。
【請求項４】
前記空気清浄機稼働のための前記生活環境情報を、ウェブサーバから取得することを特徴とする請求項１から３のいずれか１に記載のデジタル放送受信装置。
【請求項５】
前記空気清浄機稼働のための前記生活環境情報を、該生活環境情報を蓄積したサーバから取得することを特徴とする請求項１から３のいずれか１に記載のデジタル放送受信装置。
【請求項６】
前記空気清浄機稼働のための前記生活環境情報を、放送信号から取得することを特徴とする請求項１から３のいずれか１に記載のデジタル放送受信装置。
【請求項７】
前記空気清浄機が内蔵されていることを特徴とする請求項１から６のいずれか１に記載のデジタル放送受信装置。
【請求項８】
前記空気清浄機が別体に取り付けられていることを特徴とする請求項１から６のいずれか１に記載のデジタル放送受信装置。
【請求項９】
前記空気清浄機は、正イオンと負イオンを放出することを特徴とする請求項１から８のいずれか１に記載のデジタル放送受信装置。
【請求項１０】
前記空気清浄機を稼動させるための駆動信号は、前記花粉情報から得た花粉量に応じて定められた時間だけ前記空気清浄機を駆動する信号であることを特徴とする請求項２に記載のデジタル放送受信装置。
【請求項１１】
タイマーを有し、該タイマーによって設定された時刻よりも、前記花粉量に応じて定められた時間だけ前の時刻から、前記空気清浄機を稼動させることを特徴とする請求項１０に記載のデジタル放送受信装置。
【請求項１２】
空気清浄機を稼動させるための空気清浄機駆動信号生成方法であって、デジタル放送受信装置によって、外部から前記空気清浄機稼働のための生活環境情報を取得し、該生活環境情報に基づいて前記空気清浄機を稼動させるための駆動信号を生成することを特徴とする空気清浄機駆動信号生成方法。
【発明の詳細な説明】
【技術分野】
【０００１】
本発明はデジタル放送受信装置、に関し、特に空気清浄機を稼働させるための駆動信号を生成することができるデジタル放送受信装置、及び、空気清浄機駆動信号生成方法に関する。
【背景技術】
【０００２】
近年、健康志向の高まりにともなって、プラズマによる空気浄化技術や浮遊するウイルスやカビ菌を分解・除去する製品が開発されている。
このため、多くの人が集まる屋内でのＡＶ機器の運用環境を考慮して、特許文献１には、陰イオン発生手段を設けたスピーカシステムを有するテレビジョン受像機が開示されている。また、特許文献２には正イオンと負イオンを発生するイオン発生装置を有する表示装置が開示されている。
【先行技術文献】
【特許文献】
【０００３】
【特許文献１】特開２００４−２９７８３６号公報
【特許文献２】特開２００３−２８４７６６号公報
【発明の概要】
【発明が解決しようとする課題】
【０００４】
近年の人の健康問題が重要視される中で、世界的な鳥インフルエンザや豚インフルエンザの流行が懸念されている。例えば、健康維持の目的から、殺菌機能を有する空気清浄機能を用いて、スギ花粉や各種のインフルエンザウイルスなどを除去する場合、飛来する花粉の量やインフルエンザの流行度合いに応じて、必要な条件で適宜空気清浄機を使用しなければ、ファンモータ等の送風手段を搭載している空気清浄機の消費電力がいたずらに大きくなる。しかしながら、空気清浄機自体には花粉情報やインフルエンザ流行情報を得ることができないため、これらの情報に基づいて自動的に空気清浄機を駆動することはこれまでなされていなかった。
【０００５】
また、外出先から帰ったときなどに空気清浄機の電源をオンしたとしても、室内の空気が浄化し終わるまでは時間がかかることから、帰宅時に室内の空気を清浄にしておくためには、２４時間稼働をしたり、タイマーセットをしたりする必要があった。しかし、タイマーセットをする場合においても、飛来する花粉量の多寡に応じて空気清浄機の稼働時間をセットしなければならず、外出時に花粉量が分からない場合は長めの稼働時間をセットせざるを得ないことから、空気清浄機の消費電力が多くなるという問題があった。
【０００６】
一方、各地域の花粉量を示す花粉情報は通常のテレビ放送の天気予報に付随して、あるいは種々のウェブサイトから取得可能であり、インフルエンザ流行情報についても種々のウェブサイトから取得可能である。他方、最近は、地上テレビ放送のデジタル化に伴い、データ放送の受信機能やインターネット接続機能を備えたデジタル放送受信装置が一般に普及しており、テレビ放送、ケーブルテレビ、衛星放送、ワールドワイドウェブ（ＷＷＷ）のようなネットワークから種々の生活環境に関する情報を受けることが可能となっている。特に、地上デジタル放送では地域に密着した変化に富んだデータを扱い、より地域性の高い番組が提供されるようになってきている。
【０００７】
本発明は、これらの実情に鑑みてなされたものであり、空気清浄機を稼働するための生活環境情報として、例えば、花粉情報やインフルエンザ流行情報などを、デジタル放送受信装置の情報収集機能を利用して外部から取得し、これらの花粉情報やインフルエンザ流行情報に基づいて空気清浄機を稼働することができるデジタル放送受信装置、及び、空気清浄機駆動信号生成方法を提供することをその目的とする。
【課題を解決するための手段】
【０００８】
上記課題を解決するために、本発明の第１の技術手段は、外部から空気清浄機稼働のための生活環境情報を取得し、該生活環境情報に基づいて前記空気清浄機を稼動させるための駆動信号を生成することを特徴としたものである。
【０００９】
第２の技術手段は、第１の技術手段において、前記空気清浄機稼働のための生活環境情報が花粉情報であることを特徴としたものである。
【００１０】
第３の技術手段は、第１の技術手段において、前記空気清浄機稼働のための生活環境情報がインフルエンザ流行情報であることを特徴としたものである。
【００１１】
第４の技術手段は、第１から３のいずれか１の技術手段において、前記空気清浄機稼働のための生活環境情報を、ウェブサーバから取得することを特徴としたものである。
【００１２】
第５の技術手段は、第１から３のいずれか１の技術手段において、前記空気清浄機稼働のための生活環境情報を、該生活環境情報を蓄積したサーバから取得することを特徴としたものである。
【００１３】
第６の技術手段は、第１から３のいずれか１の技術手段において、前記空気清浄機稼働のための生活環境情報を、放送信号から取得することを特徴としたものである。
【００１４】
第７の技術手段は、第１から６のいずれか１の技術手段において、前記空気清浄機が内蔵されていることを特徴としたものである。
【００１５】
第８の技術手段は、第１から６のいずれか１の技術手段において、前記空気清浄機が別体に取り付けられていることを特徴としたものである。
【００１６】
第９の技術手段は、第１から８のいずれか１の技術手段において、前記空気清浄機は、正イオンと負イオンを放出することを特徴としたものである。
【００１７】
第１０の技術手段は、第２の技術手段において、前記空気清浄機を稼動させるための駆動信号は、前記花粉情報から得た花粉量に応じて定められた時間だけ前記空気清浄機を駆動する信号であることを特徴としたものである。
【００１８】
第１１の技術手段は、第１０の技術手段において、タイマーを有し、該タイマーによって設定された時刻よりも、前記花粉量に応じて定められた時間だけ前の時刻から、前記空気清浄機を稼動させることを特徴としたものである。
【００１９】
第１２の技術手段は、空気清浄機を稼動させるための空気清浄機駆動信号生成方法であって、デジタル放送受信装置によって、外部から前記空気清浄機稼働のための生活環境情報を取得し、該生活環境情報に基づいて前記空気清浄機を稼動させるための駆動信号を生成することを特徴としたものである。
【発明の効果】
【００２０】
本発明によれば、花粉情報やインフルエンザ流行情報に基づいて空気清浄機を稼働することができるため、空気清浄機を効果的かつ効率的に駆動することができる。また、空気清浄機に花粉などを検出するユニットを設ける必要性がなくなる。
【図面の簡単な説明】
【００２１】
【図１】本発明の一実施形態に係るデジタル放送受信装置が置かれる環境を示す図である。
【図２】本発明の一実施形態に係るデジタル放送受信装置の構成図である。
【図３】各地域別、日にち毎の花粉量をテーブル形式で示した花粉情報テーブルである。
【図４】空気清浄機の運転モード毎に花粉量と空気清浄機の駆動条件との関係を定めた駆動条件テーブルである。
【図５】ユーザが空気清浄機の運転条件を設定する際のフローを示す図である。
【図６】空気清浄機の運転条件を設定する際にデジタル放送受信装置に表示される選択画面を示した図である。
【発明を実施するための形態】
【００２２】
以下、図面を参照しながら、本発明のデジタル放送受信装置に係る好適な実施の形態について説明する。
図１は、本発明の一実施形態に係るデジタル放送受信装置が置かれる環境を示す図である。
デジタル放送受信装置１００は、ＢＳ／ＣＳ系アンテナ１ａ、及び地上デジタル系アンテナ１ｂを有しており、放送衛星（ＢＳ）や通信衛星（ＣＳ）から送信されるデジタル衛星放送信号や、地上デジタル放送信号を受信することが可能となっている。また、インターネット網３００を介して、後述する生活環境情報を取得可能な専用サーバ４００や一般の天気予報等を提供するウェブサーバ５００、６００と通信可能に接続されている。
さらに、デジタル放送受信装置１００は、デジタル放送受信装置１００に内蔵あるいは別体に設けられた空気清浄機２００と、有線または無線で接続されている。空気清浄機２００は、インフルエンザや細菌に対応するため、正イオンと負イオンを放出するものが望ましい。
なお、本明細書では、専用サーバ４００は、デジタル放送受信装置の事業主等が生活環境に関する種々の情報を提供するために準備したサーバを意味している。
【００２３】
図２は、本発明の一実施形態に係るデジタル放送受信装置の構成図である。
本実施形態のデジタルテレビジョン受信機１００は、ＢＳ／ＣＳ系アンテナ１ａからの放送信号が入力されるＢＳ／ＣＳ系のフロントエンド部１１０ａと、地上デジタル系アンテナ１ｂからの放送信号が入力される地上波デジタル系のフロントエンド部１１０ｂとを備えており、これらＢＳ／ＣＳ系フロントエンド部１１０ａと、地上波デジタル系フロントエンド部１１０ｂとによって、フロントエンド部１１０が構成されている。
【００２４】
そして、ＢＳ／ＣＳ系フロントエンド部１１０ａは、チューナ部２ａ，復調回路部３ａ，誤り訂正部４ａを有し、また地上デジタル系フロントエンド部１１０ｂも、チューナ部２ｂ，復調回路部３ｂ，誤り訂正部４ｂを有している。
【００２５】
さらに、デジタル放送受信装置１００は、トランスポートデコーダ部５を備えたトランスポート部１２０と、ＭＰＥＧ（Moving Picture Experts Group）デコーダ部６、ＯＳＤ（On Screen Display）表示部７、ビデオエンコーダ部８、及び音声ＤＡＣ（Digital to Analog Converter）部９を備えたＭＰＥＧデコード部１３０と、映像出力を行う表示部１０と、音声出力を行う音声出力部１１と、ローカル通信を行うためのＬＡＮポート１３と、インターネット網３００に接続するためのモデムポ−ト１４と、ＣＰＵ１２と、フラッシュメモリによるＲＯＭ１５と、ＲＡＭ１６と、不揮発性メモリ１７と、赤外線通信等を行うための入出力Ｉ／Ｆ（Interface）１８と、リモコン装置や操作パネルからの操作入力を受け付けるための入力Ｉ／Ｆ１９とを備えている。
【００２６】
ＢＳ／ＣＳ系のフロントエンド部１１０ａが備えるＢＳ／ＣＳ系チューナ部２ａには、ＢＳ／ＣＳ系アンテナ１ａによって受信された放送衛星（ＢＳ）や通信衛星（ＣＳ）から送信されるデジタル衛星放送信号が入力される。ＢＳ／ＣＳ系チューナ部２ａは、ユーザの選局指示に従って、所定のデジタル放送ネットワークの放送チャンネルに関するデジタル衛星放送信号を選局受信し、ＢＳ／ＣＳ系復調回路部３ａに供給する。ＢＳ／ＣＳ系復調回路部３ａは、ＢＳ／ＣＳ系チューナ部２ａで選局受信したデジタル衛星放送信号をデジタル復調する。ＢＳ／ＣＳ系誤り訂正部４ａは、デジタル復調されたデジタル衛星放送信号の誤りに関する修復や訂正を施し、トランスポートストリームデータとして再生する。
【００２７】
他方、地上デジタル系フロントエンド部１１０ｂが備える地上デジタル系チューナ部２ｂには、地上デジタル系アンテナ１ｂによって受信された地上デジタル放送信号が入力される。地上デジタル系チューナ部２ｂは、ユーザの選局指示に従って、所定の放送チャンネルに関する地上デジタル放送信号を選局受信し、地上デジタル系復調回路部３ｂに供給する。地上デジタル系復調回路部３ｂは、地上デジタル系チューナ部２ｂで選局受信した地上デジタル放送信号をデジタル復調する。地上デジタル系誤り訂正部４ｂは、デジタル復調された地上デジタル放送信号の誤りに関する修復や訂正を施し、トランスポートストリームデータとして再生する。
【００２８】
トランスポート部１２０が備えるトランスポートデコーダ部５は、ＭＰＥＧ符号化されたデジタル衛星放送信号あるいは地上デジタル放送信号のトランスポートストリームデータから、放送映像信号，放送音声信号と、データ信号とを分離する。トランスポートデコーダ部５には、視聴者が選択受信したデジタル放送信号のデジタル放送ネットワークに応じて、ＢＳ／ＣＳ系フロントエンド部１１０ａまたは地上デジタル系フロントエンド部１１０ｂの中の対応する側から、誤り訂正されたデジタル放送信号のトランスポートストリームデータが供給される。
【００２９】
そして、トランスポート部１２０で分離されたＭＰＥＧ符号化されている放送映像信号及び放送音声信号は、ＭＰＥＧデコーダ部６に供給される。また、トランスポートデコーダ部５で分離されたデータ信号は、ＣＰＵ１２に供給され、後述するようにＲＯＭ１５に保持されたシステムソフトウェアに基づいて処理される。
【００３０】
ＭＰＥＧデコーダ部６は、トランスポートデコーダ部５によって分離されたＭＰＥＧ符号化されている放送映像信号及び放送音声信号それぞれのデータ復調（復号）を行い、ビデオエンコーダ部８及び音声ＤＡＣ部９に供給する。
【００３１】
ＯＳＤ表示部７は、メニューや電子番組表をテレビジョン受像機の画面上に表示するためのＯＳＤ信号を生成し、ビデオエンコーダ部８に供給する。
ビデオエンコーダ部８は、ＭＰＥＧデコーダ部６でデータ復調された放送映像信号とＯＳＤ表示部７から供給されるＯＳＤ信号とを重畳して、映像出力として表示部１０に出力する。音声ＤＡＣ部１０は、ＭＰＥＧデコーダ部７でデータ復調された放送音声信号を、音声出力として音声出力部１１に適した音声信号に生成して出力する。
【００３２】
ＣＰＵ１２は、デジタル放送受信装置１００のフロントエンド部１１０，トランスポート部１２０，及びＭＰＥＧデコード部１３０のそれぞれに接続されるとともに、ＲＯＭ１５，ＲＡＭ１６，不揮発性補助メモリ１７，入出力Ｉ／Ｆ１８，入力Ｉ／Ｆ１９，ＬＡＮポート２０のそれぞれに接続されている。
【００３３】
ＣＰＵ１２は、通常、ユーザのリモコン操作に基づきリモコンから入力Ｉ／Ｆ１９を介して供給されるコントロール信号に基づき、ＲＯＭ１５に記憶されたシステムソフトウェアによってその処理を管理・制御され、デジタル放送受信装置１００の上述した各部の制御を行う。例えば、ＣＰＵ１２は、受信した放送チャンネルのデジタル衛星放送信号や地上デジタル放送信号のトランスポートストリームデータにデータ信号として含まれている番組配列情報（ＳＩ：Service Information）のＰＡＴやＰＭＴ等の情報をトランスポートデコーダ部５から取得してＲＡＭ１６内に貯え、これら情報を用いて電子番組表を生成する。
【００３４】
また、ＣＰＵ１２は、受信した放送チャンネルのデジタル衛星放送信号や地上デジタル放送信号のトランスポートストリームデータにデータ信号として含まれているデータ放送用コンテンツのＸＭＬ言語等の情報をトランスポートデコーダ部５から取得してＲＡＭ１６内あるいは不揮発性メモリ１７内に蓄える。
【００３５】
また、ＣＰＵ１２は、図示しないユーザのリモコン操作に基づき、ＢＳ／ＣＳ系チューナ部２ａまたは地上デジタル系チューナ部２ｂを制御して、ＢＳ，ＣＳ，または地上デジタル放送における所定の放送チャンネルを選局させたり、メニュー画面や電子番組表をＯＳＤ表示部７及びビデオエンコーダ部８を介して接続された表示部１０の画面上に映像出力したりする。
【００３６】
さらに、ＣＰＵ１２は、ＬＡＮポート１３、モデムポート１４を介してインターネット網３００に接続されており、後述する生活環境情報を取得可能な専用サーバ４００や一般の天気予報等を提供するウェブサーバ５００、６００から所定の情報を取得したり、データの送受信を行うことが可能となっている。ＣＰＵは、専用サーバ４００、あるいはウェブサーバ５００，６００から取得したデータのｈｔｍｌ言語等の情報はＲＡＭ１６内あるいは不揮発性メモリ１７内に蓄える。
【００３７】
本発明のデジタル放送受信装置では、外部から空気清浄機駆動のための生活環境情報を取得する必要があるが、本実施態様では、生活環境情報として花粉情報を選択する場合について以下に説明する。なお、インフルエンザ流行情報など、他の生活環境情報に基づいて空気清浄機２００の駆動信号を生成する場合も基本的に同様である。
本発明において、デジタル放送受信装置１００、は花粉情報を、ＢＳ／ＣＳデジタル放送や地上デジタル放送、あるいはインターネットに接続された専用サーバ４００やウェブサーバ５００，６００から取得している。
【００３８】
まず、ＢＳ／ＣＳデジタル放送や地上デジタル放送から花粉情報を取得する場合は、花粉情報を放送している天気予報などの番組を受信し、受信した放送チャンネルの放送信号のトランスポートストリームデータにデータ信号として含まれているデータ放送用コンテンツの中から、花粉情報に関する情報を取得する。
通常、天気予報情報や花粉情報などのコンテンツは画面表示のためにＢＭＬ(Broadcast Markup Language)文書として記述されており、これを解析することにより各地域における花粉情報を知ることができる。
【００３９】
このため、デジタル放送受信装置１００は、花粉情報についてのデータ放送がどの時間帯にどの番組で行われるかという番組情報を有している必要がある。これらの情報は、例えば、先述した電子番組表から取得することが可能であるほか、インターネット網３００を介して接続された専用サーバ４００から提供するようにしてもいいし、所定のチャンネルを利用して定期的に放送するようにすることもできる。そして、花粉情報に関するデータ放送がいつどの番組で行われているかという情報を、例えば不揮発性メモリ１７に記憶しておけばよい。
【００４０】
図３は、各地域別、日毎の花粉量をテーブル形式で示した花粉情報テーブルである。この花粉情報テーブル３０は、ＲＯＭ１５に格納したアプリケーションプログラムによって、データ放送用コンテンツの中から花粉情報に関するデータを解析することにより作成することができ、その結果を例えば不揮発性メモリ１７に展開しておくことができる。また、花粉情報テーブル３０は、少なくとも当日の花粉量の情報がわかればよく、数日先までのデータが分からなくてもよい。
【００４１】
次に、インターネットに接続された専用サーバ４００やウェブサーバ５００，６００から花粉情報を取得する場合は、これらのサーバが提供する所定のウェブサイトの中の花粉情報を掲載したウェブページから取得することが可能である。
このため、デジタル放送受信装置１００は、花粉情報がどのサーバのウェブサイトで提供されているのかそのアクセス先のＵＲＬ情報を有している必要があるが、専用サーバ４００が花粉情報そのものを提供するほか、これらのＵＲＬ情報についても専用サーバ４００が提供してもいいし、ユーザがデジタル放送受信装置１００に設定することも可能である。
【００４２】
そして、デジタル放送受信装置１００は、専用サーバ４００やウェブサーバ５００，６００の花粉情報が掲載されたウェブページにアクセスし、花粉情報に関するデータを記述したｈｔｍｌデータを取得し、これを解析することによって、先述した花粉情報テーブル３０を作成することができる。
【００４３】
また、花粉情報は地域毎に提供されるため、デジタル放送受信装置１００が設置された地域の花粉情報を得るためには、デジタル放送受信装置１００が自身の設置場所の情報を持たなければならない。通常、デジタル放送受信装置１００の初期設定時において、受信できる地上デジタル放送を選定するために地域情報あるいは郵便番号をユーザが入力済みであり、ＲＡＭ１６あるいは不揮発性メモリ１７には設置場所の地域情報が記録されているため、この地域情報を利用することによって、花粉情報テーブル３０から使用地域における花粉量の情報を得ることができる。
【００４４】
なお、デジタル放送受信装置１００が、専用サーバ４００から花粉情報を取得する場合は、ウェブページにアクセスすることなく、専用サーバ４００に直接、使用地域の花粉量を問い合わせることにより、デジタル放送受信装置１００が設置された地域の花粉情報を専用サーバ４００から取得するようにしてもよい。この場合は、先述の花粉情報テーブルは専用サーバ４００側で準備する必要がある。また、花粉情報取得のためのデータの要求と配信は、デジタル放送受信装置１００と専用サーバ４００に搭載する専用のアプリケーションプログラムによって実行可能である。
【００４５】
次に、外部から得た花粉情報に基づいてデジタル放送受信装置１００が空気清浄機２００を稼働させるための駆動信号の生成例について説明する。
図４は、空気清浄機の運転モード毎に花粉量と空気清浄機の駆動条件との関係を定めた駆動条件テーブルである。これらのテーブルはＲＡＭ１６あるいは不揮発性メモリ１７に予め記録されている。
【００４６】
図４（Ａ）に示す駆動条件テーブル４１は、空気清浄機２００を連続運転（２４時間運転）モードで駆動する際の花粉量と風量との関係を示したものである。例えば、その日の花粉量が「やや多い」場合は、空気清浄機２００の風量を「中」に設定した駆動信号を生成する必要があることを示している。
また、図４（Ｂ）に示す駆動条件テーブル４２は、空気清浄機２００を所定の風量で間欠運転モードで駆動する際の花粉量と時間当たりの駆動時間の関係を示したものである。例えば、その日の花粉量が「非常に多い」場合は、空気清浄機２００の１時間当たりの駆動時間を４０分に設定した駆動信号を生成する必要があることを示している。
【００４７】
図４（Ｃ）に示す駆動条件テーブル４３は、清浄な室内空間を得るために、空気清浄機２００を所定の風量で何時間連続駆動すべきかを花粉量との関係でしたものであり、例えば、花粉量が「多い」場合は、空気清浄機２００を２時間連続運転する必要があることを示している。
なお、これらの駆動条件テーブル４１〜４３における駆動時間等の値は、空気清浄機２００の能力や設置される室内空間の大きさによって変わることから、空気清浄機２００の能力や使用する部屋の大きさに応じて選択できるように複数の駆動条件テーブルを記憶しておき、ユーザからの空気清浄機の能力（何畳用など）と使用する部屋の大きさ（何畳）の入力に応じて、ＣＰＵ１２が選択するようにしておくことが望ましい。
【００４８】
図５は、ユーザが空気清浄機の運転条件を設定する際のフローを示す図であり、図６は、空気清浄機の運転条件を設定する際にデジタル放送受信装置に表示される選択画面を示した図である。
ユーザは、デジタル放送受信装置に供えられたリモコンをキー操作して、所定のコマンドを入力Ｉ／Ｆ１９を介してＣＰＵ１２に伝え、ＣＰＵ１２は、リモコン操作に応じて、ＲＯＭ１５内のプログラムと不揮発性メモリ１７内のデータを呼び出して、図６の各選択画面を作成し表示部１０に表示させている。
【００４９】
まず、ステップＳ１で、ユーザは空気清浄機２００を自動運転させるために、どのような生活環境情報に基づいて運転するのかを選択する。この場合、ユーザはリモコンの所定のキー操作を行うことにより、デジタル放送受信装置１００の表示部１０に、図６（Ａ）で示す生活環境情報選択画面５１を表示させる。そして、リモコンの上下キーを操作することで、例えば花粉情報を選択した後、リモコンの決定キーを押すことによって、生活環境情報として花粉情報を選択する。
【００５０】
次に、ステップＳ２では、ユーザは、生活環境情報の取得先を選択する。この場合、
図６（Ａ）の生活環境情報選択画面５１での生活環境情報の選択後、自動的に図６（Ｂ）の生活環境情報取得先画面５２を表示させるとよい。生活環境情報取得先画面５２では、例えば花粉情報の取得先として、地上デジタル放送、ＢＳ放送、ＣＳ放送、インターネットなどをユーザが選択できるようになっている。
なお、ＣＳ放送など、契約の関係でユーザが選択できない取得先は、グレー表示をするなど、ユーザのリモコン操作によって選択できないようにしておくことが望ましい。また、インターネットから取得する場合は、図示していないが、一般のウェブサーバから取得する場合と専用サーバから取得する場合を区別して選択できるようにしておくなど、種々の表示形式を採用することができる。
【００５１】
次に、ステップＳ３では、空気清浄機２００の運転モードを選択する。この場合、図６（Ｂ）の生活環境情報取得先選択画面５２での取得先の決定後、自動的に図６（Ｃ）の運転モード選択画面５３を表示させるとよい。運転モード選択画面５３では、本実施形態では、連続運転、間欠運転、予約運転のいずれかのモードを選択することができる。ここで、連続運転モードとは空気清浄機２００を２４時間運転するモードであり、間欠運転モードは空気清浄機２００の運転と停止を繰り返すモードである。
ユーザが連続運転モードを選択した場合は、ＣＰＵは先述した駆動条件テーブル４１を用いて、空気清浄機２００の駆動信号を生成することになる。また、間欠運転モードを選択した場合は駆動条件テーブル４２を、予約運転モードを選択した場合は駆動条件テーブル４３を用いることになる。
【００５２】
次に、ステップＳ４で予約運転モードを選択した場合は、ステップＳ５に移って、ユーザは図示しない予約の日時決定画面から所望の日時を入力することでタイマーの設定を行い、設定のフローを終了する。タイマーはデジタル放送受信装置１００が通常有する機能の一つであり、これを利用することができる。また、ステップＳ４で連続運転モードあるいは間欠運転モードを選択した場合も設定のフローを終了する。
なお、ステップＳ１の生活環境情報の選択、ステップＳ２の情報取得先の選択、ステップＳ３の運転モードの選択は、図５に示した順序に限らず前後してもよい。また、予約運転モードの選択は、図５のフローに関わらず、ユーザのリモコン操作によって直接選択できるようにしてもよい。予約運転モードの詳細については後述する。
【００５３】
本発明のデジタル放送受信装置１００は、ユーザによって設定された条件に従って、外部から空気清浄機稼働のための生活環境情報を取得し、この生活環境情報に基づいて空気清浄機を稼動させるための駆動信号を生成するものであるが、信号生成のための具体例について以下に説明する。
【００５４】
（具体例１）
空気清浄機２００の運転条件として、例えば、生活環境情報として花粉情報、生活環境情報の取得先として地上デジタル放送、運転モードとして連続運転が選択されている場合、まず、デジタル放送受信装置１００は、不揮発性メモリ１７に記憶されている花粉情報に関するデータ放送の番組情報を利用して、花粉情報を提供している番組の放送時間内に、地上デジタル放送の該当する番組を受信する。そして、受信した花粉情報に関するデータ放送から先述した方法で花粉情報テーブル３０を作成し、不揮発性メモリ１７に保存する。
【００５５】
次に、デジタル放送受信装置１００は、自身が有するテレビジョン１００の設置地域情報から、該当する地域の花粉量を取得する。例えば、東京２３区以内で、現在の日付が３月１０日の場合、図３の花粉情報テーブル３０から、花粉量が「やや多い」という情報を得る。
次に、デジタル放送受信装置１００は、連続運転モードに対応した駆動条件テーブル４１を参照し、花粉量が「やや多い」場合の空気清浄機２００の駆動条件である風量「中」を選択する。そして、空気清浄機２００を風量「中」で連続運転するための駆動信号を生成し、空気清浄機２００を駆動する。
【００５６】
ここで、空気清浄機２００が、デジタル放送受信装置１００に内蔵されている場合は、ＣＰＵ１２が空気清浄機２００の種々の制御を行うように構成してもよく、また、別途、空気清浄機２００用のＣＰＵ等を設けるようにしてもよい。この場合、デジタル放送受信装置１００は有線によって駆動信号を空気清浄機２０に伝えればよい。
また、空気清浄機２００がデジタル放送受信装置１００とは別体に室内に取り付けられている場合は、有線あるいは無線によって、例えば、入出力Ｉ／Ｆ１８を介して赤外線通信によって駆動信号を空気清浄機２００に伝えればよい。
【００５７】
（具体例２）
次に、予約運転モードについて説明する。予約運転モードは、例えば、外出した際の帰宅時に、室内の空気を清浄化しておきたい場合などに用いられる。
図６（Ｃ）の運転モード選択画面５３で予約運転を選択し、図５のステップＳ５で日時をタイマー設定した場合、デジタル放送受信装置１００は、設定された日時の所定時間前から空気清浄機２００を駆動するための駆動信号を生成する。
【００５８】
空気清浄機２００の運転条件として、例えば、生活環境情報として花粉情報、生活環境情報の取得先として地上デジタル放送、運転モードとして予約運転が選択され、予約の設定日時が３月１１日の午後５時で、予約を行った日が３月１０日の場合、デジタル放送受信装置１００が、花粉情報テーブル３０を作成し、設置場所における花粉量を取得する点は、先の具体例１と同様である。しかし、予約運転モードの場合には、デジタル放送受信装置１００が最新の花粉情報テーブル３０を作成する時刻は、少なくとも予約の設定時刻から、図４の駆動条件テーブル４３における最長駆動時間より以前であることが望ましい。本具体例では、３月１１日午後５時より４時間前の午後１時までに、花粉情報テーブル３０を作成できるようにしておくとよい。
【００５９】
ここで、設置場所である東京２３区の３月１１日の花粉量が「多い」という情報を得たものとすれば、デジタル放送受信装置１００は、駆動条件テーブル４３を参照し、花粉量が「多い」に該当する駆動時間の値「２時間」を得る。そして、デジタル放送受信装置１００は、予約設定日時である３月１１日午後５時の「２時間」前である午後３時から空気清浄機２００を駆動するための駆動信号を生成し、空気清浄機２００に伝える。
これにより、ユーザが帰宅する午後５時には、室内の空気を清浄化しておくことができる。
【００６０】
以上、本発明に係る一実施形態では、生活環境情報として花粉情報を例に述べたが、例えば、インフルエンザの流行度合いについては、各地域の保健所から発表される地域別の患者数から把握でき、この地域別患者数から空気清浄機の駆動信号を生成することが可能である。その他、黄砂量や他の伝染病の流行など、種々の生活環境情報に基づいて、空気清浄機の駆動信号を生成することが可能である。
また、先述したように、外部からの生活環境情報として放送信号から得られないものについては、専用サーバを設けてこれから取得するようにすることで対応可能である。
なお、本発明は、デジタル放送を受信できる装置であれば、テレビジョン装置のほか、表示装置全般に好適に適用できることは言うまでもない。
【符号の説明】
【００６１】
１ａ…ＢＳ／ＣＳ系アンテナ、１ｂ…地上デジタル系アンテナ、２ａ…ＢＳ／ＣＳ系チューナ部、２ｂ…地上波デジタル系チューナ部、３ａ…ＢＳ／ＣＳ系復調回路部、３ｂ…地上波デジタル系復調回路部、４ａ、４ｂ…誤り訂正部、５…トランスポートデコーダ部、６…ＭＰＥＧデコーダ部、７…ＯＳＤ表示部、８…ビデオエンコーダ部、９…音声ＤＡＣ部、１０…表示部、１１…音声出力部、１２…ＣＰＵ、１３…ＬＡＮポート、１４…モデムポート、１５…ＲＯＭ、１６…ＲＡＭ、１７…不揮発性メモリ、１８…入出力Ｉ／Ｆ、１９…入力Ｉ／Ｆ、３０…花粉情報テーブル、４１，４２，４３…駆動条件テーブル、５１…生活環境情報選択画面、５２…生活環境情報取得先選択画面、５３…運転モード選択画面、１００…デジタル放送受信装置、１１０…フロントエンド部、１１０ａ…ＢＳ／ＣＳ系フロントエンド部、１１０ｂ…地上波デジタル系フロントエンド部、１２０…トランスポート部、１３０…ＭＰＥＧデコード部、２００…空気清浄機、３００…インターネット網、４００、専用サーバ、５００，６００…ウェブサーバ。
【図１】
2011004042.tif 000003
【図２】
2011004042.tif 000004
【図３】
2011004042.tif 000005
【図４】
2011004042.tif 000006
【図５】
2011004042.tif 000007
【図６】
2011004042.tif 000008